(57)【特許請求の範囲】
【請求項１】
ＬＡＰＤＭプロトコルを用いて２つのエンティティ間でデータリンクレイヤ通信を行うデータリンクレイヤ通信方法において、マルチフレーム非設定状態にある第１のエンティティが第２のエンティティからＩフレームを受信するステップと、前記Ｉフレームの受信に応答して前記第２のエンティティへＳＡＢＭＥコマンドを送信するステップとを備えることを特徴とするデータリンクレイヤ通信方法。
【請求項２】
前記第２のエンティティは、マルチフレーム設定状態にあることを特徴とする請求項１に記載のデータリンクレイヤ通信方法。
【請求項３】
前記第１のエンティティは、受信した前記Ｉフレームを破棄した後に前記ＳＡＢＭＥコマンドを送信することを特徴とする請求項１または２に記載のデータリンクレイヤ通信方法。
【請求項４】
前記２つのエンティティの一方は移動局であり、他方は移動パケット通信加入者交換機能であることを特徴とする請求項１〜３のいずれか１項に記載のデータリンクレイヤ通信方法。
【請求項５】
２つのエンティティ間で情報転送を行うデータリンクレイヤ通信方法において、第１のエンティティが情報転送を行えない状態の場合に第２のエンティティから情報転送のフレームを受信するステップと、前記情報転送のフレームの受信に応答して、前記第２のエンティティに対して情報転送が行える状態へ遷移するための設定コマンドを送信するステップとを備えることを特徴とするデータリンクレイヤ通信方法。
【請求項６】
ＬＡＰＤＭプロトコルを用いて２つのエンティティ間でデータリンクレイヤ通信を行うデータリンクレイヤ通信システムにおいて、Ｉフレームを送信する第１のエンティティと、マルチフレーム非設定状態の場合に前記Ｉフレームを受信すると、前記第１のエンティティにＳＡＢＭＥコマンドを送信する第２のエンティティとを備えることを特徴とするデータリンクレイヤ通信システム。
【請求項７】
前記第１のエンティティは、マルチフレーム設定状態にあることを特徴とする請求項６に記載のデータリンクレイヤ通信システム。
【請求項８】
前記第２のエンティティは、受信した前記Ｉフレームを破棄した後に前記ＳＡＢＭＥコマンドを送信することを特徴とする請求項６または７に記載のデータリンクレイヤ通信システム。
【請求項９】
前記２つのエンティティの一方は移動局であり、他方は移動パケット通信加入者交換機能であることを特徴とする請求項６〜８のいずれか１項に記載のデータリンクレイヤ通信システム。
【請求項１０】
２つのエンティティ間で情報転送を行うデータリンクレイヤ通信システムにおいて、情報転送のフレームを送信する第１のエンティティと、前記情報転送のフレームの受信に応答して、前記第１のエンティティに対して情報転送が行える状態へ遷移するための設定コマンドを送信する第２のエンティティとを備えることを特徴とするデータリンクレイヤ通信システム。
【発明の詳細な説明】
【０００１】
【発明の属する技術分野】
本発明は、データリンクレイヤ通信方法及びデータリンクレイヤ通信システムに関し、より詳細には、移動処理機能がマルチフレーム非設定状態のときに移動局からＩフレームを受信した場合、ＳＡＢＭＥコマンドを送信するデータリンクレイヤ通信方法及びデータリンクレイヤ通信システムに関する。
【０００２】
【従来の技術】
図１は、ＬＡＰＤＭプロトコルを適用した従来のパケット通信システムの一例を概念的に示す図である。図１に示す通信システムでは、ＰＤＣ（Personal Digital Cellular Telecommunication System）移動パケット通信システムにおける、移動パケット通信加入者交換機能としてのＭＰＦ（Mobile Packet processing Function）１０３と移動局（Mobile Station; ＭＳ）１０５との間のデータリンクレイヤについて、ＬＡＰＤＭプロトコルを適用している。
【０００３】
ＬＡＰＤＭ（Link Access Procedure for Digital Mobile channel）とは、ＯＳＩアーキテクチャのデータリンクレイヤで動作するプロトコルであり、その目的は、デジタル方式自動車電話システム無線区間インタフェースを介してレイヤ３エンティティ相互間の情報を転送することである。パケット通信システムは、少なくともＭＧＦ（Mobile Gateway Function）１０２と、ＭＰＦ１０３と、ＢＳ（Base Station）１０４と、ＭＳ１０５と、ＮＳＰ（Network Service Provider）／イントラネット１０１とから構成される。ＭＧＦ１０２は、ＰＤＣ移動パケット通信システムとＮＳＰ／イントラネット１０１を接続するゲートウェイの機能を有する。ＭＰＦ１０３は、ＭＧＦ１０２とＢＳ１０４との間に位置し、パケット交換を行う機能を有する。ＢＳ１０４は、在圏するＭＳ１０５と無線パケットを送受信する機能を有する。ＭＰＦ１０３とＭＳ１０５とのデータリンクレイヤでは、ＬＡＰＤＭプロトコルを用いて通信が行われている。ＮＳＰは、インターネットの接続サービスをビジネスとして提供する企業であり、また、イントラネットはインターネットの環境を企業内での情報の共有化に転用したネットワークである。
【０００４】
図２は、ＭＰＦ１０３とＭＳ１０５との間のデータリンクレイヤのＬＡＰＤＭを示す図である。ここで、１つのデータリンクは２つの基本状態のどちらかにある。
【０００５】
（１）マルチフレーム非設定状態
電源投入時の初期設定状態及びマルチフレーム終了手順によって確立される状態である。この状態では、非確認形情報の転送のみが可能である。
【０００６】
（２）マルチフレーム設定状態
マルチフレーム設定手順により確立される状態であり、確認形及び非確認形情報の転送が可能である。確認形情報の転送は、Ｉフレームの送受信により行われる。
【０００７】
図２に示す例では、初期状態はＭＰＦ１０３及びＭＳ１０５は共にマルチフレーム非設定状態である。この状態においてＭＳ１０５からＭＰＦ１０３へ、情報転送が行える状態へ遷移するための設定コマンドとしてＳＡＢＭＥコマンドを送信する（（１））。このコマンドを受信したＭＰＦ１０３がＵＡレスポンスを送信する（（２））。以上のコマンド及びレスポンスの送受信により、マルチフレーム設定状態に遷移する。マルチフレーム設定状態ではＩフレームの送受信が可能である。また、マルチフレーム設定状態においてＤＩＳＣコマンドとＵＡコマンドの送受信を行うことにより、マルチフレーム非設定状態に遷移する（（３）及び（４））。
【０００８】
【発明が解決しようとする課題】
しかし、ＭＰＦ１０３がマルチフレーム非設定状態のときにＭＳ１０５からＩフレームを受信した場合、従来はＩフレームを破棄するのみであった。
【０００９】
図３は、従来のＬＡＰＤＭにおける状態アンマッチの発生を示す図である。今、図３に示すように、初期状態がマルチフレーム非設定状態であって、ＭＰＦ１０３とＭＳ１０５との間のデータリンクレイヤのＬＡＰＤＭにおいてＳＡＢＭＥコマンドとＵＡレスポンスの送受信（（１）及び（２））によりマルチフレーム設定状態に遷移したと仮定する。この場合、例えばＭＰＦ１０３の再起動などの何らかの要因によりＭＰＦ１０３がＭＳ１０５にＤＩＳＣコマンドを送信せずにマルチフレーム非設定状態に遷移すると、ＭＳ１０５はマルチフレーム設定状態、ＭＰＦ１０３はマルチフレーム非設定状態という状態アンマッチが発生する。
【００１０】
図４は、従来例において状態アンマッチの場合にＭＳからＭＰＦへＩフレームが送信された場合の動作を示す図である。図４の（１）に示すように、この状態アンマッチの場合にマルチフレーム設定状態のＭＳ１０５からＭＰＦ１０３へＩフレームが送信されても、ＭＰＦ１０３ではマルチフレーム非設定状態という認識であるためそのＩフレームが破棄されるのみで、ＭＳ１０５に応答フレームは送信しない。
【００１１】
図５は、従来例において既に発生した状態アンマッチを解消する動作を示す図である。ＭＳ１０５はＩフレームを送信するときにタイマＴ２００を起動しＩフレームに対する応答フレームを待つ（（１））。しかし、上述したようにＭＰＦ１０３はマルチフレーム非設定状態という認識であるために、受信したＩフレームを破棄する。ＭＳ１０５では応答フレームが得られないため、タイマＴ２００がタイムアウトする。ＭＳ１０５は、タイマＴ２００がタイムアウトするとＩフレームの再送またはＲＲフレームの送信を行い、再びタイマＴ２００を起動して応答フレームを待つ（（２））。ＭＰＦではＩフレームまたはＲＲフレームを再び破棄するため、同様にタイマＴ２００はタイムアウトする。
【００１２】
このようにしてＭＳ１０５はＩフレーム及びＲＲフレームの送信及びタイマＴ２００タイムアウトの動作を（Ｎ２００−１）回行う（（１）〜（４））。次に、タイマＴ２００がタイムアウトするとＳＡＢＭＥコマンドをＭＰＦ１０３に送信し（（５））、ＭＰＦ１０３はそのコマンドに対してＵＡレスポンスをＭＳ１０５に送信する（（６））。そして、ＭＳ１０５がそのＵＡレスポンスを受信することで、ＭＰＦ１０３とＭＳ１０５とが共にマルチフレーム設定状態に遷移し、状態アンマッチは解消される。
【００１３】
このように、従来のデータリンクレイヤ通信方法では、何らかの要因によりＭＰＦ１０３がＭＳ１０５にＤＩＳＣコマンドを送信せずにマルチフレーム非設定状態に遷移して状態アンマッチが発生した場合、その状態アンマッチを解消するまでには、ＭＳ１０５がＭＰＦ１０３に対し最初のＩフレームを送信してからＴ２００×Ｎ２００の時間がかかるという問題点があった。
【００１４】
上記問題点に鑑み、本発明の目的とするところは、ＭＰＦ１０３がマルチフレーム非設定状態にあってＭＳ１０５からＩフレームを受信した場合に、Ｉフレームを破棄するのみではなく、Ｉフレームを破棄した後にＳＡＢＭＥコマンドをＭＳ１０５に送信し、積極的にマルチフレーム設定状態への遷移を行うことにより、状態アンマッチを解消するまでの時間を速めるデータリンクレイヤ通信方法及びデータリンクレイヤ通信システムを提供することにある。
【００１５】
【課題を解決するための手段】
本発明は、このような目的を達成するため、請求項１に記載の発明は、ＬＡＰＤＭプロトコルを用いて２つのエンティティ間でデータリンクレイヤ通信を行うデータリンクレイヤ通信方法において、マルチフレーム非設定状態にある第１のエンティティが第２のエンティティからＩフレームを受信するステップと、前記Ｉフレームの受信に応答して前記第２のエンティティへＳＡＢＭＥコマンドを送信するステップとを備えることを特徴とする。即ち、ＭＰＦ１０３がマルチフレーム非設定状態のときにＭＳ１０５からＩフレームを受信した場合、ＭＳ１０５にＳＡＢＭＥコマンドを送信する処理とした。
【００１６】
また、請求項２に記載の発明は、請求項１に記載のデータリンクレイヤ通信方法において、前記第２のエンティティは、マルチフレーム設定状態にあることを特徴とする。従って、相手側エンティティがマルチフレーム設定状態、自身エンティティがマルチフレーム非設定状態にあって状態アンマッチが発生している場合に本発明を適用して、この状態アンマッチを解消できる。
【００１７】
また、請求項３に記載の発明は、請求項１または２に記載のデータリンクレイヤ通信方法において、前記第１のエンティティは、受信した前記Ｉフレームを破棄した後に前記ＳＡＢＭＥコマンドを送信することを特徴とする。従って、自身エンティティがＩフレームを受信してから破棄するまでの動作は従来と同様の動作とすることが出来、第２のエンティティにおいて上記コマンド送信以外の特別な処理を必要としない。
【００１８】
また、請求項４に記載の発明は、請求項１〜３のいずれか１項に記載のデータリンクレイヤ通信方法において、前記２つのエンティティの一方は移動局であり、他方は移動パケット通信加入者交換機能であることを特徴とする。従って、本発明は、移動局とパケット交換機との間での状態アンマッチを解消することが出来る。
【００１９】
また、請求項５に記載の発明は、２つのエンティティ間で情報転送を行うデータリンクレイヤ通信方法において、第１のエンティティが情報転送を行えない状態の場合に第２のエンティティから情報転送のフレームを受信するステップと、前記情報転送のフレームの受信に応答して、前記第２のエンティティに対して情報転送が行える状態へ遷移するための設定コマンドを送信するステップとを備えることを特徴とする。即ち、上述のステップを備えることで、本発明はＬＡＰＤＭに限らず、他のプロトコルが適用されている場合にも実施出来る。
【００２０】
また、請求項６に記載の発明は、ＬＡＰＤＭプロトコルを用いて２つのエンティティ間でデータリンクレイヤ通信を行うデータリンクレイヤ通信システムにおいて、Ｉフレームを送信する第１のエンティティと、マルチフレーム非設定状態の場合に前記Ｉフレームを受信すると、前記第１のエンティティにＳＡＢＭＥコマンドを送信する第２のエンティティとを備えることを特徴とする。
【００２１】
また、請求項７に記載の発明は、請求項６に記載のデータリンクレイヤ通信システムにおいて、前記第１のエンティティは、マルチフレーム設定状態にあることを特徴とする。
【００２２】
また、請求項８に記載の発明は、請求項６または７に記載のデータリンクレイヤ通信システムにおいて、前記第２のエンティティは、受信した前記Ｉフレームを破棄した後に前記ＳＡＢＭＥコマンドを送信することを特徴とする。
【００２３】
また、請求項９に記載の発明は、請求項６〜８のいずれか１項に記載のデータリンクレイヤ通信システムにおいて、前記２つのエンティティの一方は移動局であり、他方は移動パケット通信加入者交換機能であることを特徴とする。
【００２４】
更に、請求項１０に記載の発明は、２つのエンティティ間で情報転送を行うデータリンクレイヤ通信システムにおいて、情報転送のフレームを送信する第１のエンティティと、前記情報転送のフレームの受信に応答して、前記第１のエンティティに対して情報転送が行える状態へ遷移するための設定コマンドを送信する第２のエンティティとを備えることを特徴とする。
【００２５】
【発明の実施の形態】
図６は、本発明が適用されるＰＤＣ移動パケット通信システムにおける、ＬＡＰＤＭの信号送受信を示す図である。今、ＭＰＦ１０３とＭＳ１０５との間のデータリンクレイヤのＬＡＰＤＭにおいて、ＳＡＢＭＥコマンドとＵＡレスポンスの送受信によりマルチフレーム設定状態に遷移している状態にあると仮定する。この場合、何らかの要因によりＭＰＦ１０３がＭＳ１０５にＤＩＳＣコマンドを送信することなくマルチフレーム非設定状態に遷移すると、ＭＳ１０５はマルチフレーム設定状態である一方、ＭＰＦ１０３はマルチフレーム非設定状態であるという状態アンマッチが発生する。
【００２６】
この状態アンマッチのときに、ＭＳ１０５からＭＰＦ１０３へＩフレームが送信されると（（１））、従来のＭＰＦ１０３ではＩフレームを破棄するのみであった。本発明では、ＭＰＦ１０３は受信したＩフレームを破棄した後（（１））、情報転送が行える状態へ遷移するための設定コマンドとしてＳＡＢＭＥコマンドをＭＳ１０５に送信する（（２））。ＭＳ１０５はＳＡＢＭＥコマンドを受信すると、ＭＰＦ１０３にＵＡレスポンスを送信する（（３））。ＭＰＦ１０３はこれを受信して、マルチフレーム設定状態に遷移する。
【００２７】
本発明は、エンティティ間で必要なネゴシエーションを行い、情報転送が行える状態に遷移した後、相手側エンティティに通知することなく自身エンティティが情報転送を行えない状態に遷移してしまった場合を前提とする。本来、このようなネゴシエーションを行わずに情報転送を行うことは禁止されている。しかし、図７に示すようにＭＳ１０５とＭＰＦ１０３とが共にマルチフレーム非設定状態の場合、ＭＰＦ１０３がＩフレームをＭＳ１０５から受信すると、これを破棄した後ＳＡＭＢＥを送信し、ＭＳ１０５はＵＡレスポンスを送信して結果的にマルチフレーム設定状態に遷移してしまう。即ち、一度もネゴシエーションを行っていない相手側エンティティから情報転送を受信したとしても、情報転送が行える状態への設定コマンドを送信するので、結果的に上記禁止を行わないことになってしまう。このような問題を回避するには、状態アンマッチの原因が明確な場合、例えばＭＰＦ１０３を再起動後などの予め定められた条件下にある場合に限って本発明を適用し、他の場合には従来のデータリンクレイヤ通信方法を適用することとすれば良い。
【００２８】
以上、本発明の好適な実施形態を説明したが、本発明は上述の実施形態に限定されないことに留意されたい。上述の実施形態の均等物や発展形態などは本明細書に含まれる教示から当業者には自明である。そのような均等物や発展形態などは、本発明の範囲と思想を逸脱するものではない。例えば、上述した実施の形態においては、ＭＰＦ１０３をマルチフレーム設定状態に遷移させるために本発明を適用した場合を一例に説明したが、これと同様にＭＳ１０５をマルチフレーム非設定状態からマルチフレーム設定状態に遷移させるために本発明を適用できることはいうまでもない。
【００２９】
【発明の効果】
以上詳細に説明したように、本発明によれば、ＬＡＰＤＭプロトコルを用いて２つのエンティティ間でデータリンクレイヤ通信を行うデータリンクレイヤ通信方法において、マルチフレーム非設定状態にある第１のエンティティが第２のエンティティからＩフレームを受信するステップと、第２のエンティティへＳＡＢＭＥコマンドを送信するステップとを備えるので、従来何らかの要因によりＭＰＦ１０３がＭＳ１０５にＤＩＳＣコマンドを送信せずにマルチフレーム非設定状態に遷移したときの状態アンマッチを解消するまでには、ＭＳ１０５がＩフレームを送信してからＴ２００×Ｎ２００の時間を必要としたが、本発明により、ＭＳ１０５がＩフレームを送信してからより短時間でアンマッチを解消できる。
【００３０】
また、本発明によれば、マルチフレーム非設定状態におけるＩフレームの破棄の動作は従来と同一であるため、特別にメモリ領域を設ける必要なしにアンマッチ解消の時間を短縮化出来る。
【００３１】
更に、本発明によれば、状態アンマッチの解消のために従来発生してしまった所定のタイムアウトの動作を発生させないようにすることが出来るため、各エンティティの処理数を減少させ、結果として各エンティティの長寿命化を図ることが出来る。
【図面の簡単な説明】
【図１】ＬＡＰＤＭプロトコルを適用した従来のパケット通信システムの一例を概念的に示す図である。
【図２】ＭＰＦ１０３とＭＳ１０５との間のデータリンクレイヤのＬＡＰＤＭを示す図である。
【図３】従来のＬＡＰＤＭにおける状態アンマッチ発生を示す図である。
【図４】従来例において状態アンマッチの場合にＭＳからＭＰＦへＩフレームが送信された場合の動作を示す図である。
【図５】従来例において既に発生した状態アンマッチを解消する動作を示す図である。
【図６】本発明が適用されるＰＤＣ移動パケット通信システムにおける、ＬＡＰＤＭの信号送受信を示す図である。
【図７】ＭＳとＭＰＦとが共にマルチフレーム非設定状態の場合において、ＭＰＦがＩフレームを受信した場合の動作を示す図である。
【符号の説明】
１０１  ＮＳＰ／イントラネット
１０２  ＭＧＦ
１０３  ＭＰＦ
１０４  ＢＳ
１０５  ＭＳ
【図１】
0003768076.tif 000002
【図２】
0003768076.tif 000003
【図３】
0003768076.tif 000004
【図４】
0003768076.tif 000005
【図５】
0003768076.tif 000006
【図６】
0003768076.tif 000007
【図７】
0003768076.tif 000008